(57)【要約】  例示的な一態様では、複数のデータシンボルを送信する方法が提供される。本方法は、データシンボルに対応する第１のオンオフキーイングされた信号を送信することを含み、第１の信号は、複数のオン期間と複数のオフ期間とを備える。各オン期間は、それぞれのランダムファクタまたは擬似ランダムファクタによってオン期間内で巡回シフトされた第１の信号部分を備える。【選択図】図１
2021530139.tif 000002
【特許請求の範囲】
【請求項１】
複数のデータシンボルを送信する方法であって、前記方法は、
前記データシンボルに対応する第１のオンオフキーイングされた信号を送信することを含み、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、方法。
【請求項２】
前記信号部分が、ＯＦＤＭシンボルの少なくとも一部、または少なくとも１つのＯＦＤＭシンボルを備える、請求項１に記載の方法。
【請求項３】
第１のアンテナから前記第１の信号を送信することを含む、請求項１または２に記載の方法。
【請求項４】
第２のアンテナから前記データシンボルに対応する第２のオンオフキーイングされた信号を送信することを含み、前記第２の信号が、複数のオン期間と複数のオフ期間とを備え、前記第２の信号の各オン期間が、それぞれのランダムファクタまたは擬似ランダムファクタによって前記オン期間中に巡回シフトされた第２の信号部分を備える、請求項３に記載の方法。
【請求項５】
前記第１の信号部分と前記第２の信号部分とが同一であるかまたは異なる、請求項４に記載の方法。
【請求項６】
前記第２の信号部分が、前記第１の信号部分を巡回シフトすることによって取得される、請求項４に記載の方法。
【請求項７】
前記第１の信号が、マルチキャリア信号を含む、請求項１から６のいずれか一項に記載の方法。
【請求項８】
各データシンボルが、それぞれのシンボル期間中のオン期間とオフ期間とに対応し、各シンボル期間中の前記オン期間および前記オフ期間の順序が、前記シンボル期間に対応する前記データシンボルに基づく、請求項１から７のいずれか一項に記載の方法。
【請求項９】
各シンボル期間中の前記オン期間および前記オフ期間の前記順序が、前記対応するデータシンボルのマンチェスターコーディングに基づいて選択される、請求項８に記載の方法。
【請求項１０】
前記データシンボルが、ウェイクアップパケット（ＷＵＰ）の少なくとも一部を備える、請求項１から９のいずれか一項に記載の方法。
【請求項１１】
前記データシンボルが、８０２．１１ｂａウェイクアップパケット（ＷＵＰ）の少なくとも一部を備える、請求項１０に記載の方法。
【請求項１２】
複数のデータシンボルを受信する方法であって、前記方法は、
前記データシンボルに対応する第１のオンオフキーイングされた信号を受信することを含み、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、方法。
【請求項１３】
前記信号部分が、ＯＦＤＭシンボルの少なくとも一部、または少なくとも１つのＯＦＤＭシンボルを備える、請求項１２に記載の方法。
【請求項１４】
前記第１の信号が、マルチキャリア信号を含む、請求項１２または１３に記載の方法。
【請求項１５】
各データシンボルが、それぞれのシンボル期間中のオン期間とオフ期間とに対応し、各シンボル期間中の前記オン期間および前記オフ期間の前記順序が、前記シンボル期間に対応する前記データシンボルに基づく、請求項１２から１４のいずれか一項に記載の方法。
【請求項１６】
各シンボル期間中の前記オン期間および前記オフ期間の前記順序が、前記対応するデータシンボルのマンチェスターコーディングに基づいて選択される、請求項１５に記載の方法。
【請求項１７】
前記データシンボルが、ウェイクアップパケット（ＷＵＰ）の少なくとも一部を備える、請求項１２から１６のいずれか一項に記載の方法。
【請求項１８】
前記データシンボルが、８０２．１１ｂａウェイクアップパケット（ＷＵＰ）の少なくとも一部を備える、請求項１７に記載の方法。
【請求項１９】
前記ウェイクアップパケットを受信すると、デバイスをウェイクアップさせることを含む、請求項１７または１８に記載の方法。
【請求項２０】
前記デバイスが、８０２．１１受信機を備える、請求項１９に記載の方法。
【請求項２１】
命令を備えるコンピュータプログラムであって、前記命令は、少なくとも１つのプロセッサ上で実行されたとき、前記少なくとも１つのプロセッサに、請求項１から２０のいずれか一項に記載の方法を実行させる、コンピュータプログラム。
【請求項２２】
請求項２１に記載のコンピュータプログラムを含むサブキャリアであって、前記サブキャリアが、電子信号、光信号、無線信号またはコンピュータ可読記憶媒体のうちの１つを備える、サブキャリア。
【請求項２３】
請求項２２に記載のコンピュータプログラムを記憶した非一時的コンピュータ可読媒体を備えるコンピュータプログラム製品。
【請求項２４】
複数のデータシンボルを送信するための装置であって、前記装置は、プロセッサとメモリとを備え、前記メモリは、前記装置が、
前記データシンボルに対応する第１のオンオフキーイングされた信号を送信するように動作可能であるように、前記プロセッサによって実行可能な命令を含んでおり、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【請求項２５】
前記メモリは、前記装置が請求項２から１１のいずれか一項に記載の方法を実行するように動作可能であるように、前記プロセッサによって実行可能な命令を含む、請求項２４に記載の装置。
【請求項２６】
複数のデータシンボルを受信するための装置であって、前記装置は、プロセッサとメモリと備え、前記メモリは、前記装置が、
前記データシンボルに対応する第１のオンオフキーイングされた信号を受信するように動作可能であるように、前記プロセッサによって実行可能な命令を含んでおり、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【請求項２７】
前記メモリは、前記装置が請求項１３から２０のいずれか一項に記載の方法を実行するように動作可能であるように、前記プロセッサによって実行可能な命令を含む、請求項２６に記載の装置。
【請求項２８】
複数のデータシンボルを送信するための装置であって、前記装置は、
前記データシンボルに対応する第１のオンオフキーイングされた信号を送信するように設定され、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【請求項２９】
複数のデータシンボルを受信するための装置であって、前記装置は、
前記データシンボルに対応する第１のオンオフキーイングされた信号を受信するように設定され、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【請求項３０】
複数のデータシンボルを送信するための装置であって、前記装置は、
前記データシンボルに対応する第１のオンオフキーイングされた信号を送信するように設定された送信モジュールを備え、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【請求項３１】
複数のデータシンボルを受信するための装置であって、前記装置は、
前記データシンボルに対応する第１のオンオフキーイングされた信号を受信するように設定された受信モジュールを備え、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【発明の詳細な説明】
【技術分野】
【０００１】
本開示の例は、たとえば、データシンボルがウェイクアップ（ｗａｋｅ  ｕｐ）パケット（ＷＵＰ）を備える、データシンボルを送信することに関する。
【背景技術】
【０００２】
ウェイクアップ無線機と呼ばれることもあるウェイクアップ受信機（ＷＵＲ）は、無線通信において使用される受信機の電力消費を著しく低減するための手段を与える。ＷＵＲは、ウェイクアップ信号の存在を検出することのみが可能であればよいので、ＷＵＲは非常に緩やかなアーキテクチャに基づき得る。
【０００３】
いくつかの無線通信デバイスでは、ＷＵＲと別の無線機とは同じアンテナを共有し得る。ＷＵＲがオンにされ、ウェイクアップメッセージを待っているとき、他方の無線機は、エネルギーを保存するためにオフに切り替えられ得る。ウェイクアップメッセージがＷＵＲによって受信されると、ＷＵＲは他方の無線機をウェイクアップさせ得る。他方の無線機は、次いで、データの送信および／または受信のために使用され得る。
【０００４】
ウェイクアップパケット（ＷＵＰ）のための一般的に使用される変調、すなわち、ＷＵＲに送られる信号はオンオフキーイング（ＯＯＫ）である。ＯＯＫは、論理１が、信号を送ること（ＯＮ）を用いて表され、一方論理０が、信号を送らないこと（ＯＦＦ）によって表される、２値変調である。ウェイクアップパケットは、ＯＯＫ信号を変調するデータシンボルの特定のシーケンスの形態であり得る。
【発明の概要】
【０００５】
本開示の一態様は、複数のデータシンボルを送信する方法を提供する。本方法は、データシンボルに対応する第１のオンオフキーイングされた信号を送信することを含む。第１の信号は、複数のオン期間と複数のオフ期間とを備える。各オン期間は、それぞれのランダムファクタまたは擬似ランダムファクタによってオン期間内で巡回シフトされた第１の信号部分を備える。
【０００６】
本開示の別の態様は、複数のデータシンボルを受信する方法を提供する。本方法は、データシンボルに対応する第１のオンオフキーイングされた信号を受信することを含む。第１の信号は、複数のオン期間と複数のオフ期間とを備える。各オン期間は、それぞれのランダムファクタまたは擬似ランダムファクタによってオン期間内で巡回シフトされた第１の信号部分を備える。
【０００７】
本開示のさらなる態様は、複数のデータシンボルを送信するための装置を提供する。本装置は、プロセッサとメモリとを備える。メモリは、装置が、データシンボルに対応する第１のオンオフキーイングされた信号を送信するように動作可能であるように、プロセッサによって実行可能な命令を含む。第１の信号は、複数のオン期間と複数のオフ期間とを備える。各オン期間は、それぞれのランダムファクタまたは擬似ランダムファクタによってオン期間内で巡回シフトされた第１の信号部分を備える。
【０００８】
本開示のまたさらなる態様は、複数のデータシンボルを受信するための装置を提供する。本装置は、プロセッサとメモリとを備える。メモリは、装置が、データシンボルに対応する第１のオンオフキーイングされた信号を受信するように動作可能であるように、プロセッサによって実行可能な命令を含む。第１の信号は、複数のオン期間と複数のオフ期間とを備える。各オン期間は、それぞれのランダムファクタまたは擬似ランダムファクタによってオン期間内で巡回シフトされた第１の信号部分を備える。
【０００９】
本開示の追加の態様は、複数のデータシンボルを送信するための装置を提供する。本装置は、データシンボルに対応する第１のオンオフキーイングされた信号を送信するように設定される。第１の信号は、複数のオン期間と複数のオフ期間とを備える。各オン期間は、それぞれのランダムファクタまたは擬似ランダムファクタによってオン期間内で巡回シフトされた第１の信号部分を備える。
【００１０】
本開示のさらなる態様は、複数のデータシンボルを受信するための装置を提供する。本装置は、データシンボルに対応する第１のオンオフキーイングされた信号を受信するように設定される。第１の信号は、複数のオン期間と複数のオフ期間とを備える。各オン期間は、それぞれのランダムファクタまたは擬似ランダムファクタによってオン期間内で巡回シフトされた第１の信号部分を備える。
【００１１】
本開示のまたさらなる態様は、複数のデータシンボルを送信するための装置を提供する。本装置は、データシンボルに対応する第１のオンオフキーイングされた信号を送信するように設定された送信モジュールを備える。第１の信号は、複数のオン期間と複数のオフ期間とを備える。各オン期間は、それぞれのランダムファクタまたは擬似ランダムファクタによってオン期間内で巡回シフトされた第１の信号部分を備える。
【００１２】
本開示の別の態様は、複数のデータシンボルを受信するための装置を提供する。本装置は、データシンボルに対応する第１のオンオフキーイングされた信号を受信するように設定された受信モジュールを備える。第１の信号は、複数のオン期間と複数のオフ期間とを備える。各オン期間は、それぞれのランダムファクタまたは擬似ランダムファクタによってオン期間内で巡回シフトされた第１の信号部分を備える。
【００１３】
次に、本開示の例のより良い理解のために、およびそれらの例がどのように実行され得るかをより明らかに示すために、単に例として、以下の図面を参照する。
【図面の簡単な説明】
【００１４】
【図１】複数のデータシンボルを送信する方法の一例のフローチャートである。
【図２】送信された信号の一例についての電力スペクトル密度グラフである。
【図３】送信された信号の別の一例についての電力スペクトル密度グラフである。
【図４】複数のデータシンボルを受信する方法の一例のフローチャートである。
【図５】複数のデータシンボルを送信するための装置の一例を示す図である。
【図６】複数のデータシンボルを受信するための装置の一例を示す図である。
【図７】複数のデータシンボルを送信するための装置の一例を示す図である。
【図８】複数のデータシンボルを受信するための装置の一例を示す図である。
【発明を実施するための形態】
【００１５】
以下に、限定ではなく、説明の目的のための特定の実施形態または例など、具体的な詳細を記載する。これらの具体的な詳細から離れて、他の例が採用され得ることが当業者によって諒解されよう。いくつかの事例では、よく知られている方法、ノード、インターフェース、回路、およびデバイスの詳細な説明は、説明を不要な詳細で不明瞭にしないように省略される。説明される機能は、ハードウェア回路（たとえば、専用の機能を実行するために相互接続されたアナログおよび／またはディスクリート論理ゲート、ＡＳＩＣ、ＰＬＡなど）を使用して、および／または１つもしくは複数のデジタルマイクロプロセッサまたは汎用コンピュータとともにソフトウェアプログラムとデータとを使用して、１つまたは複数のノード中に実装され得ることを、当業者は諒解しよう。エアインターフェースを使用して通信するノードはまた、好適な無線通信回路を有する。その上、適切な場合、その技術は、さらに、プロセッサに本明細書で説明する技法を実行させるであろうコンピュータ命令の適切なセットを含む固体メモリ、磁気ディスク、または光ディスクなど、任意の形態のコンピュータ可読メモリ内で完全に具現化されることが考えられ得る。
【００１６】
ハードウェア実装は、限定はしないが、デジタル信号プロセッサ（ＤＳＰ）ハードウェア、縮小命令セットプロセッサ、限定はしないが、特定用途向け集積回路（ＡＳＩＣ）および／またはフィールドプログラマブルゲートアレイ（ＦＰＧＡ）を含むハードウェア（たとえば、デジタルまたはアナログ）回路、および（適切な場合）そのような機能を実行することが可能な状態機械を含み得るか、または包含し得る。
【００１７】
図１は、複数のデータシンボルを送信する方法１００の一例のフローチャートである。本方法は、ステップ１０２において、データシンボルに対応する第１のオンオフキーイングされた信号を送信することを含み、第１の信号は複数のオン期間と複数のオフ期間とを備える。各オン期間は、それぞれのランダムファクタまたは擬似ランダムファクタによってオン期間内で巡回シフトされた第１の信号部分を備える。
【００１８】
第１の信号部分の巡回シフト（ｃｙｃｌｉｃ  ｓｈｉｆｔｉｎｇ）はオン期間内で実行され得る。たとえば、第１の信号部分は、遅延またはパーセンテージなどのファクタによってオン期間中でシフトされ得、オン期間外でシフトされた第１の信号の一部は、オン期間の反対端部においてオン期間中に再導入され得る。このようにして、たとえば、オン期間は、いくつかの例では、第１の信号部分から形成された信号で満たされたままであり得る。
【００１９】
いくつかの例では、したがって、第１の信号は、他の信号よりもフラットな周波数応答を有し得る。一例では、マンチェスターコーディングがウェイクアップパケット（ＷＵＰ）のデータ部に適用され得る。たとえば、論理「０」は「１０」として符号化され、論理「１」は「０１」として符号化される。したがって、あらゆるデータシンボルは、（エネルギーがある）「ＯＮ」部と、エネルギーがない「ＯＦＦ」部とを備え、これらの部分の順序はデータシンボルに依存する。さらに、このブロックは、たとえば８０２．１１ａ／ｇ／ｎ／ａｃをサポートする、たとえばＷｉ−Ｆｉ送信機など、いくつかの送信機においてすでに利用可能であり得るので、ＷＵＰは、いくつかの例では、逆高速フーリエ変換（ＩＦＦＴ）によって生成され得る。ＷＵＰを表すＯＯＫ信号を生成するための例示的な一手法は、ＯＦＤＭマルチキャリア信号の中心において１３個のサブキャリアを使用し、ＯＮを表すための、およびＯＦＦを表すまったく何も送信しないための信号を用いてこれらの１３個のサブキャリアをポピュレートすることである。これはマルチキャリアＯＯＫ（ＭＣ−ＯＯＫ）と呼ばれることがある。一例では、ＩＦＦＴは、６４個のポイントを有し、２０ＭＨｚのサンプリングレートで動作しており、ちょうど通常の直交周波数分割多重（ＯＦＤＭ）の場合のように、８０２．１１ａ／ｇ／ｎ／ａｃにおいて使用されているようなＯＦＤＭシンボル持続時間を有するように、ＩＦＦＴ動作の後にサイクリックプレフィックス（ＣＰ）が追加される。
【００２０】
ＷＵＰのためのＭＣ−ＯＯＫのいくつかの例では、同じＯＦＤＭシンボルが使用される。言い換えれば、すべてのデータシンボルのための非ゼロサブキャリアをポピュレートするために同じ周波数領域シンボルが使用される。あらゆるマンチェスターコーディングされたデータシンボルの「ＯＮ」部を生成するために同じＯＦＤＭシンボルを使用することは、ＷＵＰのデータ部における強い周期的時間相関を生じ得る。これらの相関は、ＷＵＰの電力スペクトル密度（ＰＳＤ）におけるスパイクであるスペクトル線を引き起こす。スペクトルの狭い部分において送信され得る電力を制限する現地の地域別の規制があり得るので、これらのスペクトル線は、いくつかの例では、望ましくないことがある。例示的なＷＵＰの例示的なＰＳＤが図２に示されている。この例では、「ＯＮ」信号の持続時間はＴｓ＝４μｓであり、基本周波数Ｆｓ＝２５０ｋＨｚ＝１／Ｔｓの倍数においてスペクトルスパイクが起こっている。
【００２１】
本明細書で開示するいくつかの実施形態では、たとえばウェイクアップパケット（ＷＵＰ）など、複数の送信されたデータシンボルのスペクトル密度（たとえばＰＳＤ）は、他のデータシンボル、信号またはパケットと比較したとき、よりフラットであり得る。図３は、本明細書で開示される実施形態に従って送信された、ＷＵＰを表す複数のデータシンボルのＰＳＤの一例を示している。図３に示されたＰＳＤは、図２に示されたＰＳＤよりもフラットであり、および／またはスペクトルのスパイクは低減されているかまたはなくなっている。いくつかの現地の地域別の規制はＭＨｚ当たりの最大出力電力に対する制限を課し得、したがって、フラットなまたはよりフラットなＰＳＤのみが最大許容出力電力を達成し得るので、スペクトルのフラットネスは、いくつかの例では、望ましいことがある。他の実施形態では、送信されたデータシンボルはウェイクアップパケット（ＷＵＰ）以外のデータを表し得、および／または異なる送信パラメータ（たとえば、サブキャリアの数、周波数、変調方式、シンボル、コードレートなど）が使用され得る。結果として、ＰＳＤは、図３に示された例とは異なり得る。
【００２２】
いくつかの例では、信号部分は、ＯＦＤＭシンボルの少なくとも一部、または少なくとも１つのＯＦＤＭシンボルを備える。したがって、各オン期間は、たとえば、巡回シフトされたＯＦＤＭシンボル、またはＯＦＤＭシンボルの巡回シフトされた部分を備え得る。
【００２３】
いくつかの例では、第１の信号は第１のアンテナから送信される。方法１００はまた、第２のアンテナからデータシンボルに対応する第２のオンオフキーイングされた信号を送信することを含み得、第２の信号は複数のオン期間と複数のオフ期間とを備え、第２の信号の各オン期間は、それぞれのランダムファクタまたは擬似ランダムファクタによってオン期間中に巡回シフトされた第２の信号部分を備える。
【００２４】
第１の信号と同じデータシンボルを表す第２の信号は、したがって、送信されたデータシンボルにダイバーシティ（たとえば空間ダイバーシティ）を与え得る。いくつかの例では、第１の信号部分と第２の信号部分とは同一（たとえば、同じＯＦＤＭシンボル、または同じＯＦＤＭシンボルの部分）である。
【００２５】
他の例では、第１の信号と第２の信号部分とは異なる。たとえば、第２の信号部分は、第１の信号部分を巡回シフトすることによって取得され得るか、または第１の信号部分と第２の信号部分とは無関係であり得る。
【００２６】
いくつかの例では、各オン期間中に、第１の信号部分および第２の信号部分は、送信されたときに同じファクタによって巡回シフトされ得る。しかしながら、他の例では、第１の信号部分および第２の信号部分は、送信されたときに異なるファクタ（たとえば個々に選択されたランダムファクタまたは擬似ランダムファクタ）によって回転され得る。
【００２７】
いくつかの例では、第１の信号はマルチキャリア信号を含む。すなわち、たとえば、信号部分は、オン期間中にマルチキャリア信号のサブキャリアの各々上で送信され得る。いくつかの例では、同じシンボルまたは同じシンボルの部分がオン期間中にサブキャリアの各々上で送信される。オン期間中の信号は、いくつかの例では、ＯＦＤＭシンボル、またはＯＦＤＭシンボルの部分を備え得る。
【００２８】
いくつかの例では、データシンボルは、たとえば８０２．１１ｂａ  ＷＵＰなど、ウェイクアップパケット（ＷＵＰ）の少なくとも一部を備える。ＷＵＰを受信すると、受信機は、たとえば、別の受信機および／または送信機をウェイクアップさせ得る。
【００２９】
図４は、複数のデータシンボルを受信する方法４００の一例のフローチャートである。本方法は、ステップ４０２において、データシンボルに対応する第１のオンオフキーイングされた信号を受信することを含み、第１の信号は複数のオン期間と複数のオフ期間とを備える。各オン期間は、それぞれのランダムファクタまたは擬似ランダムファクタによってオン期間内で巡回シフトされた第１の信号部分を備える。いくつかの例では、第１の信号は、図１の方法１００に従って送信される第１の信号であり得る。
【００３０】
本開示のいくつかの実施形態は、アクセスポイント（ＡＰ）など、ネットワークノード中に実装され得る。たとえば、送信する方法は送信ネットワークノード中に実装され得、受信する方法は受信ネットワークノード中に実装され得る。
【００３１】
以下で、本開示の特定の例を与える。
【００３２】
いくつかの例では、送信または受信された信号はウェイクアップパケット（ＷＵＰ）を表す。ＷＵＰのデータ部はＮ個のデータシンボルからなると仮定する。Ｋ個の異なる遅延の固定セットが選定され、データシンボルの各々について、１からＫまでの擬似乱数ｍが生成される。ｍ番目の遅延は、データシンボルの「ＯＮ」部に対応するＯＦＤＭシンボルに巡回的に適用される。このプロシージャは、さもなければ、送信された信号中に存在する周期パターンをランダム化するので、スペクトル線（たとえばスパイク）を低減または消去し得る。
【００３３】
第１の例示的な実施形態では、信号は単一のアンテナから送信される。ＷＵＰのデータ部はＮ個のＯＦＤＭシンボルからなると仮定する。この例示的な実施形態は以下のステップからなる。
１．Ｋ≧２である、Ｋ個の遅延のセットを決定する。これらは
2021530139.tif 000003
である。
２．１とＫとの間の値を取るＮ個の整数からなるランダムシーケンスまたは擬似ランダムシーケンスを生成する。これらは｛ｍ１、…、ｍＮ｝である。
３．データシンボルの「ＯＮ」部に対応するＯＦＤＭシンボルの各々にランダム巡回シフトまたは擬似ランダム巡回シフトを適用する。巡回シフトはシーケンス中のＮ個の整数のうちの１つに対応する。たとえば、ｎ番目のデータシンボルの「ＯＮ」部に対応するＯＦＤＭシンボルに遅延
2021530139.tif 000004
（負の値）を適用する。すなわち、ｓ（ｔ）、０≦ｔ＜Ｔｓが、持続時間ＴＳを有する、「ＯＮ」部に対応する時間領域信号である場合、遅延
2021530139.tif 000005
によるｓ（ｔ）の巡回シフト
2021530139.tif 000006
は
2021530139.tif 000007
を設定することによって生成される。
４．ｎ番目のデータシンボルの「ＯＮ」部における巡回シフトされたＯＦＤＭシンボル
2021530139.tif 000008
を備える、ＭＣ−ＯＯＫ信号を送信する。
【００３４】
１つの特定の例では、Ｔｓ＝４μｓである。Ｋ＝８巡回シフト
2021530139.tif 000009
のセットは、以下の表に示されているように定義される。
2021530139.tif 000010
【００３５】
別の特定の例では、Ｔｓ＝２μｓである。Ｋ＝８巡回シフト
2021530139.tif 000011
のセットは、以下の表に示されているように定義される。
2021530139.tif 000012
【００３６】
１と８との間の値を有するランダム整数または擬似ランダム整数のシーケンスが各データシンボルについて生成され、対応する遅延による巡回シフトが各データシンボルについて信号の「ＯＮ」部に適用される。たとえば、Ｔｓ＝２μｓであり、ｎ番目のデータシンボルについて生成された整数ｍｎが６である場合、ｎ番目の送信されたデータシンボルの「ＯＮ」部に
2021530139.tif 000013
の巡回シフトが適用される。
【００３７】
擬似ランダムシーケンス生成のための任意の好適な方法が使用され得る。例として、Ｋが２のべき乗である、すなわちＫ＝２ｐであるケースを考える。８０２．１１規格は、擬似ランダムビットシーケンスを生成するために、生成多項式（ｇｅｎｅｒａｔｏｒ  ｐｏｌｙｎｏｍｉａｌ）ｚ−７＋ｚ−４＋１をもつ線形フィードバックシフトレジスタを利用する。これらのシーケンスのいずれかが、ｐ個のビットのグループにおける出力をグループ化することによって使用され得る。いずれかのそのようなグループが１とＫとの間の整数にマッピングされ得る。
【００３８】
別の例示的な実施形態は、複数のアンテナ（たとえば送信ダイバーシティまたは空間ダイバーシティ）からの送信を伴う。アンテナの各々について、任意の所与のマルチアンテナ送信（ＴＸ）ダイバーシティ技法に従って、ＭＣ−ＯＯＫ信号がデータシンボルから生成される。次いで、単一の送信アンテナのために与えられた実施形態が、各アンテナから送信されるべき信号に適用され得る。アンテナからの信号に適用されるＴＸダイバーシティ技法（ＴＸ  ｄｉｖｅｒｓｉｔｙ  ｔｅｃｈｎｉｑｕｅ）は、（たとえばＧＳＭセルラーシステムにおいて使用されるような）遅延ダイバーシティまたは（たとえばＬＴＥセルラーシステムにおいて使用されるような）巡回遅延ダイバーシティを備え得る。
【００３９】
一例では、Ｌ個の送信アンテナがあり、ＭＣ−ＯＯＫが使用され、ＣＳＤは、送信機によって採用されたＴＸダイバーシティ技法であると仮定する。この場合、巡回遅延Δｌ、ｌ＝１、…、ＬがＯＦＤＭシンボルｓ（ｔ）に適用される。したがって、ｌ番目のアンテナによって送信される信号はｓｌ（ｔ）＝ｓＣＳ（ｔ；Δｌ）であり、ここで、ｓＣＳ（ｔ；Δｌ）は、Δｌによるｓ（ｔ）の巡回シフトを示し、単一アンテナ例について上記で与えられたように定義される。この例示的な実施形態は以下のステップからなる。
１．Ｋ≧２である、Ｋ個の遅延のセットを決定する。これらは
2021530139.tif 000014
である。
２．１とＫとの間の値を取るＮ個の整数からなるランダムシーケンスまたは擬似ランダムシーケンスを生成する。これらは｛ｍ１、…、ｍＮ｝である。
３．Ｌ個のアンテナの各々について、ｎ番目のデータシンボルの「ＯＮ」部に対応するＯＦＤＭシンボルに遅延
2021530139.tif 000015
（負の値）を適用する。すなわち、ｓｌ（ｔ）、０≦ｔ＜Ｔｓが、「ＯＮ」部に対応する時間領域信号である場合、ｌ番目のアンテナについて、ｓｌ（ｔ）の巡回シフト
2021530139.tif 000016
は、
2021530139.tif 000017
による巡回遅延を適用することによって生成される。遅延
2021530139.tif 000018
は、データシンボルごとに変化し得ることに留意されたい。
４．ｌ番目のアンテナを通して送信された信号中のｎ番目のデータシンボルの「ＯＮ」部における巡回シフトされたＯＦＤＭシンボル
2021530139.tif 000019
を備える、ＭＣ−ＯＯＫ信号を送信する。
【００４０】
一例として、ＣＳＤが使用される場合
2021530139.tif 000020
である。
【００４１】
図５は、複数のデータシンボルを送信するための装置５００の一例を示している。装置５００はプロセッサ５０２とメモリ５０４とを備える。メモリ５０４は、装置５００が、データシンボルに対応する第１のオンオフキーイングされた信号を送信するように動作可能であるように、プロセッサ５０２によって実行可能な命令５０６を含んでおり、第１の信号は複数のオン期間と複数のオフ期間とを備える。各オン期間は、それぞれのランダムファクタまたは擬似ランダムファクタによってオン期間内で巡回シフトされた第１の信号部分を備える。
【００４２】
図６は、複数のデータシンボルを受信するための装置６００の一例を示している。装置６００はプロセッサ６０２とメモリ６０４とを備える。メモリ６０４は、装置６００が、データシンボルに対応する第１のオンオフキーイングされた信号を受信するように動作可能であるように、プロセッサ６０２によって実行可能な命令６０６を含んでおり、第１の信号は複数のオン期間と複数のオフ期間とを備える。各オン期間は、それぞれのランダムファクタまたは擬似ランダムファクタによってオン期間内で巡回シフトされた第１の信号部分を備える。
【００４３】
図７は、複数のデータシンボルを送信するための装置７００の一例を示している。装置７００は、データシンボルに対応する第１のオンオフキーイングされた信号を送信するように設定された送信モジュール７０２を備え、第１の信号は複数のオン期間と複数のオフ期間とを備える。各オン期間は、それぞれのランダムファクタまたは擬似ランダムファクタによってオン期間内で巡回シフトされた第１の信号部分を備える。
【００４４】
図８は、複数のデータシンボルを受信するための装置８００の一例を示している。装置８００は、データシンボルに対応する第１のオンオフキーイングされた信号を受信するように設定された受信モジュール８０２を備え、第１の信号は複数のオン期間と複数のオフ期間とを備える。各オン期間は、それぞれのランダムファクタまたは擬似ランダムファクタによってオン期間内で巡回シフトされた第１の信号部分を備える。
【００４５】
上述の例は、本発明を限定するのではなく例示すること、および当業者は、添付された記述の範囲から逸脱することなく多くの代替例を設計することが可能であることに留意されたい。「備える」という単語は、請求項に記載されている要素またはステップ以外の要素またはステップの存在を除外せず、単数は複数を除外せず、シングルプロセッサまたは他のユニットは、以下の記述に具陳されたいくつかのユニットの機能を実現し得る。「第１の」、「第２の」などの用語が使用される場合、それらの用語は、単に特定の特徴の便宜上の識別のためのラベルとして理解されるべきである。特に、それらの用語は、別段に明記されていない限り、複数のそのような特徴のうちの第１の特徴または第２の特徴（すなわち、時間または空間において現れるそのような特徴の第１番目または第２番目）について説明するものとして解釈されるべきでない。本明細書で開示された方法におけるステップは、別段に明記されていない限り、任意の順序で実行され得る。記述中のいかなる参照符号も、それらの参照符号の範囲を限定するように解釈されないものとする。
【図１】
2021530139.tif 000021
【図２】
2021530139.tif 000022
【図３】
2021530139.tif 000023
【図４】
2021530139.tif 000024
【図５】
2021530139.tif 000025
【図６】
2021530139.tif 000026
【図７】
2021530139.tif 000027
【図８】
2021530139.tif 000028
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
複数のデータシンボルを送信する方法であって、前記方法は、
前記データシンボルに対応する第１のオンオフキーイングされた信号を送信することを含み、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、方法。
【請求項２】
前記信号部分が、ＯＦＤＭシンボルの少なくとも一部、または少なくとも１つのＯＦＤＭシンボルを備える、請求項１に記載の方法。
【請求項３】
第１のアンテナから前記第１の信号を送信することを含む、請求項１または２に記載の方法。
【請求項４】
第２のアンテナから前記データシンボルに対応する第２のオンオフキーイングされた信号を送信することを含み、前記第２の信号が、複数のオン期間と複数のオフ期間とを備え、前記第２の信号の各オン期間が、それぞれのランダムファクタまたは擬似ランダムファクタによって前記オン期間中に巡回シフトされた第２の信号部分を備える、請求項３に記載の方法。
【請求項５】
前記第２の信号部分が、前記第１の信号部分を巡回シフトすることによって取得される、請求項４に記載の方法。
【請求項６】
前記第１の信号が、マルチキャリア信号を含む、請求項１から５のいずれか一項に記載の方法。
【請求項７】
各データシンボルが、それぞれのシンボル期間中のオン期間とオフ期間とに対応し、各シンボル期間中の前記オン期間および前記オフ期間の順序が、前記シンボル期間に対応する前記データシンボルに基づく、請求項１から６のいずれか一項に記載の方法。
【請求項８】
各シンボル期間中の前記オン期間および前記オフ期間の前記順序が、前記対応するデータシンボルのマンチェスターコーディングに基づいて選択される、請求項７に記載の方法。
【請求項９】
前記データシンボルが、ウェイクアップパケット（ＷＵＰ）の少なくとも一部を備える、請求項１から８のいずれか一項に記載の方法。
【請求項１０】
前記データシンボルが、８０２．１１ｂａウェイクアップパケット（ＷＵＰ）の少なくとも一部を備える、請求項９に記載の方法。
【請求項１１】
複数のデータシンボルを受信する方法であって、前記方法は、
前記データシンボルに対応する第１のオンオフキーイングされた信号を受信することを含み、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、方法。
【請求項１２】
前記信号部分が、ＯＦＤＭシンボルの少なくとも一部、または少なくとも１つのＯＦＤＭシンボルを備える、請求項１１に記載の方法。
【請求項１３】
前記第１の信号が、マルチキャリア信号を含む、請求項１１または１２に記載の方法。
【請求項１４】
各データシンボルが、それぞれのシンボル期間中のオン期間とオフ期間とに対応し、各シンボル期間中の前記オン期間および前記オフ期間の前記順序が、前記シンボル期間に対応する前記データシンボルに基づく、請求項１１から１３のいずれか一項に記載の方法。
【請求項１５】
各シンボル期間中の前記オン期間および前記オフ期間の前記順序が、前記対応するデータシンボルのマンチェスターコーディングに基づいて選択される、請求項１４に記載の方法。
【請求項１６】
前記データシンボルが、ウェイクアップパケット（ＷＵＰ）の少なくとも一部を備える、請求項１１から１５のいずれか一項に記載の方法。
【請求項１７】
前記データシンボルが、８０２．１１ｂａウェイクアップパケット（ＷＵＰ）の少なくとも一部を備える、請求項１６に記載の方法。
【請求項１８】
前記ウェイクアップパケットを受信すると、デバイスをウェイクアップさせることを含む、請求項１６または１７に記載の方法。
【請求項１９】
前記デバイスが、８０２．１１受信機を備える、請求項１８に記載の方法。
【請求項２０】
命令を備えるコンピュータプログラムであって、前記命令は、少なくとも１つのプロセッサ上で実行されたとき、前記少なくとも１つのプロセッサに、請求項１から１９のいずれか一項に記載の方法を実行させる、コンピュータプログラム。
【請求項２１】
複数のデータシンボルを送信するための装置であって、前記装置は、プロセッサとメモリとを備え、前記メモリは、前記装置が、
前記データシンボルに対応する第１のオンオフキーイングされた信号を送信するように動作可能であるように、前記プロセッサによって実行可能な命令を含んでおり、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【請求項２２】
複数のデータシンボルを受信するための装置であって、前記装置は、プロセッサとメモリと備え、前記メモリは、前記装置が、
前記データシンボルに対応する第１のオンオフキーイングされた信号を受信するように動作可能であるように、前記プロセッサによって実行可能な命令を含んでおり、前記第１の信号が、複数のオン期間と複数のオフ期間とを備え、
各オン期間が、それぞれのランダムファクタまたは擬似ランダムファクタによって前記オン期間内で巡回シフトされた第１の信号部分を備える、装置。
【国際調査報告】
2021530139.tif 000029
2021530139.tif 000030